【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
映像情報をコーディングするための装置であって、
基準層ピクチャ及び拡張層ピクチャに関連する映像データを格納するように構成されたメモリと、
前記メモリに動作可能な形で結合され、及び
第１の方向における前記基準層ピクチャと前記拡張層ピクチャとの間のスケーリングの比率を示すスケールファクタを受信し、
第１のサンプルに対応する前記拡張層ピクチャ内の第２のサンプルの前記第１の方向における座標に少なくとも部分的に基づいて前記基準層ピクチャ内の前記第１のサンプルの前記第１の方向における座標を決定するためのラウンディングオフセット値を、前記スケールファクタに少なくとも部分的に基づいて決定し、前記ラウンディングオフセット値は、除算演算子を用いない演算においてさらに決定され、前記ラウンディングオフセット値は、整数値だけビットシフトされた和としてさらに決定され、前記和は、（ｉ）前記スケールファクタと位相の積及び（ｉｉ）第１のオフセット値の合計に基づいて決定される、
前記スケールファクタ及び前記ラウンディングオフセット値を用いて前記第１のサンプルの前記第１の方向における前記座標を決定し、
前記決定された座標における前記第１のサンプルに基づいて前記拡張層ピクチャを符号化又は復号するように構成されたプロセッサと、を備える、装置。
【請求項２】
前記第１の方向は、水平方向又は垂直方向である請求項１に記載の装置。
【請求項３】
前記プロセッサは、
（前記スケールファクタ＊前記位相＋前記第１のオフセット値）＞＞２として前記ラウンディングオフセット値を決定するようにさらに構成され、前記位相は、前記第１の方向における再サンプリングフィルタ位相を示し、前記第１のオフセット値は、ラウンディングオフセットを示す請求項１に記載の装置。
【請求項４】
前記第１の方向は、前記水平方向であり、前記スケールファクタは、前記基準層ピクチャの幅及び前記拡張層ピクチャの幅に基づく請求項２に記載の装置。
【請求項５】
前記第１の方向は、前記水平方向であり、前記スケールファクタは、前記基準層ピクチャの幅及び前記基準層ピクチャのスケーリングされたバージョンの幅に基づく請求項２に記載の装置。
【請求項６】
前記第１の方向は、前記垂直方向であり、前記スケールファクタは、前記基準層ピクチャの高さ及び前記拡張層ピクチャの高さに基づく請求項２に記載の装置。
【請求項７】
前記第１の方向は、前記垂直方向であり、前記スケールファクタは、前記基準層ピクチャの高さ及び前記基準層ピクチャのスケーリングされたバージョンの高さに基づく請求項２に記載の装置。
【請求項８】
前記水平方向における前記スケールファクタは、（１）（ａ）１６ビットだけ左シフトされた前記基準層ピクチャの前記幅及び（ｂ）１ビットだけ右シフトされた前記基準層ピクチャの前記スケーリングされたバージョンの前記幅の和を（２）前記基準層ピクチャの前記スケーリングされたバージョンの前記幅によって除すことによって得られた値として決定される請求項５に記載の装置。
【請求項９】
前記垂直方向における前記スケールファクタは、（３）（ｃ）１６ビットだけ左シフトされた前記基準層ピクチャの前記高さ及び（ｄ）１ビットだけ右シフトされた前記基準層ピクチャの前記スケーリングされたバージョンの前記高さの和を（４）前記基準層ピクチャの前記スケーリングされたバージョンの前記高さによって除すことによって得られた値として決定される請求項７に記載の装置。
【請求項１０】
前記プロセッサは、前記第２のサンプルの前記水平方向における前記座標に少なくとも部分的に基づいて前記第１のサンプルの前記水平方向における前記座標を決定するようにさらに構成され、前記第１のサンプルの前記水平方向における前記座標は、前記基準層ピクチャの左上のサンプルに対するものであり、前記第２のサンプルの前記水平方向における前記座標は、前記拡張層ピクチャの左上のサンプルに対するものである請求項２に記載の装置。
【請求項１１】
前記プロセッサは、前記第２のサンプルの前記垂直方向における前記座標に少なくとも部分的に基づいて前記第１のサンプルの前記垂直方向における前記座標を決定するようにさらに構成され、前記第１のサンプルの前記垂直方向における前記座標は、前記基準層ピクチャの左上のサンプルに対するものであり、前記第２のサンプルの前記垂直方向における前記座標は、前記拡張層ピクチャの左上のサンプルに対するものである請求項２に記載の装置。
【請求項１２】
前記第１のサンプルの前記水平方向における前記座標は、以下の方程式に従って決定され、
（（（前記第２のサンプルの前記水平方向における前記座標−第１の水平オフセット）＊前記水平方向における前記スケールファクタ＋前記ラウンディングオフセット値＋（１＜＜１１））＞＞１２）＋（水平位相＜＜２）
ここにおいて、前記水平位相は、前記水平方向における再サンプリングフィルタ位相を示し、前記第１の水平オフセットは、前記基準層ピクチャの再サンプリングバージョンの左上のサンプルと前記拡張層ピクチャの前記左上のサンプルとの間の色座標に関する水平オフセットを示す請求項１０に記載の装置。
【請求項１３】
前記第１のサンプルの前記垂直方向における前記座標は、以下の方程式に従って決定され、
（（（前記第２のサンプルの前記垂直方向における前記座標−第１の垂直オフセット）＊前記スケールファクタ＋前記ラウンディングオフセット値＋（１＜＜１１））＞＞１２）−（垂直位相＜＜２）
ここにおいて、前記垂直位相は、前記垂直方向における再サンプリングフィルタ位相を示し、前記第１の垂直オフセットは、前記基準層ピクチャの再サンプリングされたバージョンの左上のサンプルと前記拡張層ピクチャの前記左上のサンプルとの間の色座標に関する垂直オフセットを示す請求項１１に記載の装置。
【請求項１４】
前記ラウンディングオフセット値は、再サンプリングプロセスにおける位置計算の際に使用される請求項１に記載の装置。
【請求項１５】
前記プロセッサは、前記第１のサンプルに再サンプリングフィルタを適用することによって前記第１のサンプルを再サンプリングするようにさらに構成される請求項１に記載の装置。
【請求項１６】
前記装置は、デスクトップコンピュータ、ノートブックコンピュータ、ラップトップコンピュータ、タブレットコンピュータ、セットトップボックス、電話ハンドセット、スマートフォン、スマートパッド、テレビ、カメラ、表示装置、デジタルメディアプレーヤー、ビデオゲームコンソール、及び映像ストリーミングデバイスから成るグループから選択される請求項１に記載の装置。
【請求項１７】
映像情報をコーディングする方法であって、
基準層ピクチャ及び拡張層ピクチャに関連する映像データを格納することと、
第１の方向における前記基準層ピクチャと前記拡張層ピクチャとの間のスケーリングの比率を示すスケールファクタを受信することと、
第１のサンプルに対応する前記拡張層ピクチャ内の第２のサンプルの前記第１の方向における座標に少なくとも部分的に基づいて前記基準層ピクチャ内の前記第１のサンプルの前記第１の方向における座標を決定するためのラウンディングオフセット値を、前記スケールファクタに少なくとも部分的に基づいて決定することと、前記ラウンディングオフセット値は、除算演算子を用いない演算においてさらに決定され、前記ラウンディングオフセット値は、整数値だけビットシフトされた和としてさらに決定され、前記和は、（ｉ）前記スケールファクタと位相の積及び（ｉｉ）第１のオフセット値の合計に基づいて決定される、
前記スケールファクタ及び前記ラウンディングオフセット値を用いて前記第１のサンプルの前記第１の方向における前記座標を決定することと、
前記決定された座標における前記第１のサンプルに基づいて前記拡張層ピクチャを、映像符号化器によって符号化すること、又は映像復号器によって復号することと、を備える、方法。
【請求項１８】
前記第１の方向は、水平方向又は垂直方向である請求項１７に記載の方法。
【請求項１９】
前記ラウンディングオフセット値を前記決定することは、
（前記スケールファクタ＊前記位相＋前記第１のオフセット値）＞＞２として前記ラウンディングオフセット値を決定することを備え、前記位相は、前記第１の方向における再サンプリングフィルタ位相を示し、前記第１のオフセット値は、ラウンディングオフセットを示す請求項１７に記載の方法。
【請求項２０】
前記第１の方向は、前記水平方向であり、前記スケールファクタは、前記基準層ピクチャの幅及び前記拡張層ピクチャの幅に基づく請求項１８に記載の方法。
【請求項２１】
前記第１の方向は、前記水平方向であり、前記スケールファクタは、前記基準層ピクチャの幅及び前記基準層ピクチャのスケーリングされたバージョンの幅に基づく請求項１８に記載の方法。
【請求項２２】
前記第１の方向は、前記垂直方向であり、前記スケールファクタは、前記基準層ピクチャの高さ及び前記拡張層ピクチャの高さに基づく請求項１８に記載の方法。
【請求項２３】
前記第１の方向は、前記垂直方向であり、前記スケールファクタは、前記基準層ピクチャの高さ及び前記基準層ピクチャのスケーリングされたバージョンの高さに基づく請求項１８に記載の方法。
【請求項２４】
前記水平方向における前記スケールファクタは、（１）（ａ）１６ビットだけ左シフトされた前記基準層ピクチャの前記幅及び（ｂ）１ビットだけ右シフトされた前記基準層ピクチャの前記スケーリングされたバージョンの前記幅の和を（２）前記基準層ピクチャの前記スケーリングされたバージョンの前記幅によって除すことによって得られた値として決定される請求項２１に記載の方法。
【請求項２５】
前記垂直方向における前記スケールファクタは、（３）（ｃ）１６ビットだけ左シフトされた前記基準層ピクチャの前記高さ及び（ｄ）１ビットだけ右シフトされた前記基準層ピクチャの前記スケーリングされたバージョンの前記高さの和を（４）前記基準層ピクチャの前記スケーリングされたバージョンの前記高さによって除すことによって得られた値として決定される請求項２３に記載の方法。
【請求項２６】
非一時的なコンピュータによって読み取り可能な媒体であって、
コンピュータハードウェアを備えるプロセッサにおいて実行されたときに、
基準層ピクチャ及び拡張層ピクチャに関連する映像データを格納し、
第１の方向における前記基準層ピクチャと前記拡張層ピクチャとの間のスケーリングの比率を示すスケールファクタを受信し、
第１のサンプルに対応する前記拡張層ピクチャ内の第２のサンプルの前記第１の方向における座標に少なくとも部分的に基づいて前記基準層ピクチャ内の前記第１のサンプルの前記第１の方向における座標を決定するためのラウンディングオフセット値を、前記スケールファクタに少なくとも部分的に基づいて決定し、前記ラウンディングオフセット値は、除算演算子を用いない演算においてさらに決定され、前記ラウンディングオフセット値は、整数値だけビットシフトされた和としてさらに決定され、前記和は、（ｉ）前記スケールファクタと位相の積及び（ｉｉ）第１のオフセット値の合計に基づいて決定される、
前記スケールファクタ及び前記ラウンディングオフセット値を用いて前記第１のサンプルの前記第１の方向における前記座標を決定し、
前記決定された座標における前記第１のサンプルに基づいて前記拡張層ピクチャを符号化又は復号すること、を前記プロセッサに行わせる命令を備える、非一時的なコンピュータによって読み取り可能な媒体。
【請求項２７】
（前記スケールファクタ＊前記位相＋前記第１のオフセット値）＞＞２として前記ラウンディングオフセット値を決定することを前記プロセッサに行わせる命令をさらに備え、前記位相は、前記第１の方向における再サンプリングフィルタ位相を示し、前記第１のオフセット値は、ラウンディングオフセットを示す請求項２６に記載のコンピュータによって読み取り可能な媒体。
【請求項２８】
映像情報をコーディングするための装置であって、
基準層ピクチャ及び拡張層ピクチャに関連する映像データを格納するための手段と、
第１の方向における前記基準層ピクチャと前記拡張層ピクチャとの間のスケーリングの比率を示すスケールファクタを受信するための手段と、
第１のサンプルに対応する前記拡張層ピクチャ内の第２のサンプルの前記第１の方向における座標に少なくとも部分的に基づいて前記基準層ピクチャ内の前記第１のサンプルの前記第１の方向における座標を決定するためのラウンディングオフセット値を、前記スケールファクタに少なくとも部分的に基づいて決定するための手段と、前記ラウンディングオフセット値は、除算演算子を用いない演算においてさらに決定され、前記ラウンディングオフセット値は、整数値だけビットシフトされた和としてさらに決定され、前記和は、（ｉ）前記スケールファクタと位相の積及び（ｉｉ）第１のオフセット値の合計に基づいて決定される、
前記スケールファクタ及び前記ラウンディングオフセット値を用いて前記第１のサンプルの前記第１の方向における前記座標を決定するための手段と、
前記決定された座標における前記第１のサンプルに基づいて前記拡張層ピクチャを符号化又は復号するための手段と、を備える、装置。
【請求項２９】
前記ラウンディングオフセット値を決定するための前記手段は、
（前記スケールファクタ＊前記位相＋前記第１のオフセット値）＞＞２として前記ラウンディングオフセット値を決定するようにさらに構成され、前記位相は、前記第１の方向における再サンプリングフィルタ位相を示し、前記第１のオフセット値は、ラウンディングオフセットを示す請求項２８に記載の装置。